(57)【要約】  レーザービームの漏れを防止するための光モジュールおよびその制御方法が、開示される。光モジュールは、電流制御回路(11)、第1のトランジスタ(13)、レーザー(14)、およびレーザー制御ユニット(15)を含む。電流制御回路(11)は、第1のトランジスタ(13)のベースに接続され、安定した電流を提供するように構成される。レーザー(14)は、第1のトランジスタ(13)のエミッタに接続される。レーザー制御ユニット(15)は、第1のトランジスタ(13)のベースおよび光ファイバインターフェースに別々に接続される。レーザー制御ユニット(15)は、光ファイバが光ファイバインターフェースに挿入されていることが検出された場合にレーザー(14)をオンにするための制御を実行し、または光ファイバが光ファイバインターフェースに挿入されていないことが検出された場合にレーザー(14)をオフ状態のままであるように制御するように構成される。レーザービームは、光ファイバが光ファイバインターフェースに挿入されていない場合に人体の傷害を引き起こすことを効果的に防止される。
2018500769.tif 000002
【特許請求の範囲】
【請求項１】
レーザービームの漏れを防止するための光モジュールであって、電流制御回路と、第1のトランジスタと、レーザーと、レーザー制御ユニットとを備え、
前記電流制御回路が、前記第1のトランジスタのベースに接続され、安定した電流を提供するように構成され、前記レーザーが、前記第1のトランジスタのエミッタに接続され、前記レーザー制御ユニットが、前記第1のトランジスタの前記ベースおよび光ファイバインターフェースに別々に接続され、
前記レーザー制御ユニットが、光ファイバが前記光ファイバインターフェースに挿入されていることが検出された場合に前記レーザーをオンにするための制御を実行し、または光ファイバが前記光ファイバインターフェースに挿入されていないことが検出された場合に前記レーザーをオフ状態のままであるように制御するように構成される、光モジュール。
【請求項２】
ブリーダ回路をさらに備え、前記ブリーダ回路の第1の末端が、電源に接続され、前記ブリーダ回路の第2の末端が、前記第1のトランジスタの前記ベースに接続され、前記ブリーダ回路の第3の末端が、前記第1のトランジスタのコレクタに接続される、請求項1に記載の光モジュール。
【請求項３】
前記レーザー制御ユニットが、レーザー出口制御スイッチと、論理動作モジュールと、第2のトランジスタとを備え、前記レーザー出口制御スイッチが、前記光ファイバインターフェースに配置され、光ファイバが前記光ファイバインターフェースに挿入されているかどうかを検出するように構成され、
前記論理動作モジュールの第1の入力ポートが、前記レーザー出口制御スイッチの第1の末端に接続され、前記論理動作モジュールの第2の入力ポートが、接地され、または電源に接続され、前記論理動作モジュールの出力ポートが、前記第2のトランジスタのベースに接続され、前記第2のトランジスタのコレクタが、前記第1のトランジスタの前記ベースに接続され、
前記レーザー出口制御スイッチが、光ファイバが前記光ファイバインターフェースに挿入されていることを検出した場合に、前記レーザーをオンにするための制御を実行するために、前記レーザー出口制御スイッチの前記第1の末端が、低電気レベルを出力し、前記論理動作モジュールの前記出力ポートが、低電気レベルを出力し、または前記レーザー出口制御スイッチが、光ファイバが前記光ファイバインターフェースに挿入されていないことを検出した場合に、前記レーザーをオフ状態のままであるように制御するために、前記レーザー出口制御スイッチの前記第1の末端が、高電気レベルを出力し、前記論理動作モジュールの前記出力ポートが、高電気レベルを出力する、請求項1または2に記載の光モジュール。
【請求項４】
前記レーザー出口制御スイッチの第2の末端が、接地され、前記レーザー出口制御スイッチの第3の末端が、電源に接続され、光ファイバが前記光ファイバインターフェースに挿入されている場合に、前記レーザー出口制御スイッチの前記第1の末端が、前記レーザー出口制御スイッチの前記第2の末端に接続され、または光ファイバが前記光ファイバインターフェースに挿入されていない場合に、前記レーザー出口制御スイッチの前記第1の末端が、前記レーザー出口制御スイッチの前記第3の末端に接続される、請求項3に記載の光モジュール。
【請求項５】
前記論理動作モジュールが、ORゲート回路であり、前記ORゲート回路の第1の入力ポートが、前記レーザー出口制御スイッチの前記第1の末端に接続され、前記ORゲート回路の第2の入力ポートが、接地される、請求項3または4に記載の光モジュール。
【請求項６】
前記論理動作モジュールが、ANDゲート回路であり、前記ANDゲート回路の第1の入力ポートが、前記レーザー出口制御スイッチの前記第1の末端に接続され、前記ANDゲート回路の第2の入力ポートが、電源に接続される、請求項3または4に記載の光モジュール。
【請求項７】
収集回路をさらに備え、前記収集回路の第1の末端が、前記第1のトランジスタの前記エミッタに接続され、前記収集回路の第2の末端が、前記レーザーに接続され、前記収集回路が、前記レーザーの電流を収集するように構成される、請求項1から6のいずれか一項に記載の光モジュール。
【請求項８】
レーザービームの漏れを防止するための光モジュールの制御方法であって、前記光モジュールが、電流制御回路と、第1のトランジスタと、レーザーと、レーザー制御ユニットとを備え、前記電流制御回路が、前記第1のトランジスタのベースに接続され、前記レーザーが、前記第1のトランジスタのエミッタに接続され、前記レーザー制御ユニットが、前記第1のトランジスタの前記ベースおよび光ファイバインターフェースに別々に接続され、前記方法が、
光ファイバが前記光ファイバインターフェースに挿入されているかどうかを前記レーザーコントローラ制御ユニットによって検出するステップと、
前記レーザーコントローラ制御ユニットが、光ファイバが前記光ファイバインターフェースに挿入されていることを検出した場合に、前記光モジュールの前記レーザーをオンにするための制御を前記レーザーコントローラ制御ユニットによって実行し、または前記レーザーコントローラ制御ユニットが、光ファイバが前記光ファイバインターフェースに挿入されていないことを検出した場合に、前記光モジュールの前記レーザーをオフ状態のままであるように前記レーザーコントローラ制御ユニットによって制御するステップと
を含む、方法。
【請求項９】
前記レーザー制御ユニットが、レーザー出口制御スイッチと、論理動作モジュールと、第2のトランジスタとを備え、前記レーザー出口制御スイッチが、前記光ファイバインターフェースに配置され、前記論理動作モジュールの第1の入力ポートが、前記レーザー出口制御スイッチの第1の末端に接続され、前記論理動作モジュールの第2の入力ポートが、接地され、または電源に接続され、前記論理動作モジュールの出力ポートが、前記第2のトランジスタのベースに接続され、前記第2のトランジスタのコレクタが、前記第1のトランジスタの前記ベースに接続され、前記レーザーコントローラ制御ユニットが、光ファイバが前記光ファイバインターフェースに挿入されていることを検出した場合に、前記光モジュールの前記レーザーをオンにするための制御を実行するステップが、前記レーザー出口制御スイッチが光ファイバが前記光ファイバインターフェースに挿入されていることを検出した場合に、前記レーザーをオンにするために、前記第1の入力ポートに入力された電気レベルに応じて前記論理動作モジュールによって、計算の後に前記出力ポートを使用することによって前記第2のトランジスタの前記ベースに低電気レベルを与えることを含み、
前記レーザーコントローラ制御ユニットが、光ファイバが前記光ファイバインターフェースに挿入されていないことを検出した場合に、前記光モジュールの前記レーザーをオフ状態のままであるように前記レーザーコントローラ制御ユニットによって制御するステップが、前記レーザー出口制御スイッチが光ファイバが前記光ファイバインターフェースに挿入されていないことを検出した場合に、前記レーザーをオフ状態のままにするために、前記第1の入力ポートに入力された電気レベルに応じて前記論理動作モジュールによって、計算の後に前記出力ポートを使用することによって前記第2のトランジスタの前記ベースに高電気レベルを与えることを含む、請求項8に記載の方法。
【発明の詳細な説明】
【技術分野】
【０００１】
本出願は、2014年12月19日に中国特許庁に出願され、「OPTICAL MODULE FOR PREVENTING LASER BEAM LEAKAGE AND CONTROL METHOD THEREOF」と題された中国特許出願第201410804386.1号の優先権を主張し、この中国特許出願は、参照によりその全体が本明細書に組み込まれる。
【０００２】
本発明の実施形態は、光電子技術に関し、特に、レーザービームの漏れを防止するための光モジュールおよびその制御方法に関する。
【背景技術】
【０００３】
2つの近隣の通信デバイスが互いに通信することを可能にするために、2つのデバイスは、光モジュールの対および光ファイバを使用することによって接続される。光モジュールの送信距離が増すにつれて、光モジュール内のレーザーのレーザー出力は、ますます大きくなる。光ファイバが光モジュールの光ファイバインターフェースに挿入されていないか、または光ファイバ内で光ファイバの断線(fiber cut)が発生するなどのシナリオにおいては、漏れた高出力のレーザービームが、人体の傷害または目の傷害を引き起こす可能性がある。
【０００４】
従来技術において、光モジュールのレーザービームの漏れによって引き起こされる人体の傷害の問題は、インテリジェントパワー調整(英語:Intelligent Power Adjustment、略してIPA)によって解決される。図1は、従来技術において光ファイバ回線内で光ファイバの断線が発生するときのIPAプロセスの概略図である。図1に示されるように、回線内の点Lにおいて光ファイバの断線が発生するとき、末端(end)Bの検出盤(detection board)は、信号の受信ロス(英語:Receiving Loss Of Signal、略してRLOS)警告を検出し、末端Bの制御盤(control board)のレーザーをオフにする。このようにして、末端Aの検出盤は、RLOS警告を検出するようにさらにトリガされ、次いで、末端Aのシステムが、制御盤のレーザーをオフにする。この場合、末端Aと末端Bとの間の回線の光ファイバ内に光出力は存在しない。IPAが開始された後、制御盤のレーザーは、プローブレーザービームを送信して、回線が正常に戻ったかどうかを検出する。つまり、末端Bの制御盤がある期間にわたりオフにされた後、プローブレーザービームが送信され、プローブレーザービームが末端Aにおいて受信された後、RLOS警告が終了され、その結果、末端Aの制御盤のレーザーがオンにされる。この場合、光ファイバが正常に戻った場合、末端BのRLOS警告が終了され、さらに、システム全体が正常な送信を再開する。
【０００５】
しかし、従来技術の解決策は、光ファイバが挿入された状態で、完全なループによってレーザーをオンにするかまたはオフにするための制御を実行することのみが可能であり、光ファイバインターフェースに光ファイバが挿入されていないシナリオにおいては、光モジュールのレーザービームの漏れによって引き起こされる人体の傷害の問題を解決することができない。
【発明の概要】
【課題を解決するための手段】
【０００６】
本発明の実施形態は、従来技術の解決策の使用によって解決され得ない、光ファイバが光ファイバインターフェースに挿入されていないシナリオにおいて光モジュールのレーザーのレーザービームの漏れが人体の傷害を引き起こすという問題を解決するために、レーザービームの漏れを防止するための光モジュールおよびその制御方法を提供する。
【０００７】
本発明の第1の態様は、レーザービームの漏れを防止するための光モジュールを提供し、光モジュールは、電流制御回路と、第1のトランジスタと、レーザーと、レーザー制御ユニットとを備え、
電流制御回路は、第1のトランジスタのベースに接続され、安定した電流を提供するように構成され、レーザーは、第1のトランジスタのエミッタに接続され、レーザー制御ユニットは、第1のトランジスタのベースおよび光ファイバインターフェースに別々に接続され、
レーザー制御ユニットは、光ファイバが光ファイバインターフェースに挿入されていることが検出された場合にレーザーをオンにするための制御を実行し、または光ファイバが光ファイバインターフェースに挿入されていないことが検出された場合にレーザーをオフ状態のままであるように制御するように構成される。
【０００８】
第1の態様に関連して、第1の態様の第1の取り得る実装方法においては、光モジュールが、ブリーダ回路をさらに含み、ブリーダ回路の第1の末端が、電源に接続され、ブリーダ回路の第2の末端が、第1のトランジスタのベースに接続され、ブリーダ回路の第3の末端が、第1のトランジスタのコレクタに接続される。
【０００９】
第1の態様または第1の態様の第1の取り得る実装方法に関連して、第1の態様の第2の取り得る実装方法においては、レーザー制御ユニットが、レーザー出口制御スイッチ(laser egress control switch)と、論理動作モジュールと、第2のトランジスタとを備え、レーザー出口制御スイッチが、光ファイバインターフェースに配置され、光ファイバが光ファイバインターフェースに挿入されているかどうかを検出するように構成され、
論理動作モジュールの第1の入力ポートが、レーザー出口制御スイッチの第1の末端に接続され、論理動作モジュールの第2の入力ポートが、接地され、または電源に接続され、論理動作モジュールの出力ポートが、第2のトランジスタのベースに接続され、第2のトランジスタのコレクタが、第1のトランジスタのベースに接続され、
レーザー出口制御スイッチが、光ファイバが光ファイバインターフェースに挿入されていることを検出した場合に、レーザーをオンにするための制御を実行するために、レーザー出口制御スイッチの第1の末端が、低電気レベルを出力し、論理動作モジュールの出力ポートが、低電気レベルを出力し、またはレーザー出口制御スイッチが光ファイバが光ファイバインターフェースに挿入されていないことを検出した場合に、レーザーをオフ状態のままであるように制御するために、レーザー出口制御スイッチの第1の末端が、高電気レベルを出力し、論理動作モジュールの出力ポートが、高電気レベルを出力する。
【００１０】
第1の態様の第2の取り得る実装方法に関連して、第1の態様の第3の取り得る実装方法においては、レーザー出口制御スイッチの第2の末端が、接地され、レーザー出口制御スイッチの第3の末端が、電源に接続され、光ファイバが光ファイバインターフェースに挿入されている場合に、レーザー出口制御スイッチの第1の末端が、レーザー出口制御スイッチの第2の末端に接続され、または光ファイバが光ファイバインターフェースに挿入されていない場合に、レーザー出口制御スイッチの第1の末端が、レーザー出口制御スイッチの第3の末端に接続される。
【００１１】
第1の態様の第2のまたは第3の取り得る実装方法に関連して、第1の態様の第4の取り得る実装方法においては、論理動作モジュールが、ORゲート回路であり、ORゲート回路の第1の入力ポートが、レーザー出口制御スイッチの第1の末端に接続され、ORゲート回路の第2の入力ポートが、接地される。
【００１２】
第1の態様の第2のまたは第3の取り得る実装方法に関連して、第1の態様の第5の取り得る実装方法においては、論理動作モジュールが、ANDゲート回路であり、ANDゲート回路の第1の入力ポートが、レーザー出口制御スイッチの第1の末端に接続され、ANDゲート回路の第2の入力ポートが、電源に接続される。
【００１３】
第1の態様または第1から第5の取り得る実装方法のいずれか1つに関連して、第1の態様の第6の取り得る実装方法においては、光モジュールが、収集回路(collection circuit)をさらに備え、収集回路の第1の末端が、第1のトランジスタのエミッタに接続され、収集回路の第2の末端が、レーザーに接続され、収集回路が、レーザーの電流を収集するように構成される。
【００１４】
本発明の第2の態様は、光モジュールが、電流制御回路と、第1のトランジスタと、レーザーと、レーザー制御ユニットとを備え、電流制御回路が、第1のトランジスタのベースに接続され、レーザーが、第1のトランジスタのエミッタに接続され、レーザー制御ユニットが、第1のトランジスタのベースおよび光ファイバインターフェースに別々に接続される、レーザービームの漏れを防止するための光モジュールの制御方法を提供し、本方法は、
光ファイバが光ファイバインターフェースに挿入されているかどうかをレーザーコントローラ制御ユニットによって検出するステップと、
レーザーコントローラ制御ユニットが、光ファイバが光ファイバインターフェースに挿入されていることを検出した場合、光モジュールのレーザーをオンにするための制御をレーザーコントローラ制御ユニットによって実行し、またはレーザーコントローラ制御ユニットが、光ファイバが光ファイバインターフェースに挿入されていないことを検出した場合、光モジュールのレーザーをオフ状態のままであるようにレーザーコントローラ制御ユニットによって制御するステップとを含む。
【００１５】
第2の態様に関連して、第2の態様の第1の取り得る実装方法においては、レーザー制御ユニットが、レーザー出口制御スイッチと、論理動作モジュールと、第2のトランジスタとを備え、レーザー出口制御スイッチが、光ファイバインターフェースに配置され、論理動作モジュールの第1の入力ポートが、レーザー出口制御スイッチの第1の末端に接続され、論理動作モジュールの第2の入力ポートが、接地される、または電源に接続され、論理動作モジュールの出力ポートが、第2のトランジスタのベースに接続され、第2のトランジスタのコレクタが、第1のトランジスタのベースに接続され、レーザーコントローラ制御ユニットが、光ファイバが光ファイバインターフェースに挿入されていることを検出した場合、光モジュールのレーザーをオンにするための制御を実行するステップが、レーザー出口制御スイッチが光ファイバが光ファイバインターフェースに挿入されていることを検出した場合、レーザーをオンにするために、第1の入力ポートに入力された電気レベルに応じて論理動作モジュールによって、計算の後に出力ポートを使用することによって第2のトランジスタのベースに低電気レベルを与えることを含み、
レーザーコントローラ制御ユニットが、光ファイバが光ファイバインターフェースに挿入されていないことを検出した場合、光モジュールのレーザーをオフ状態のままであるようにレーザーコントローラ制御ユニットによって制御するステップが、レーザー出口制御スイッチが光ファイバが光ファイバインターフェースに挿入されていないことを検出した場合、レーザーをオフ状態のままにするために、第1の入力ポートに入力された電気レベルに応じて論理動作モジュールによって、計算の後に出力ポートを使用することによって第2のトランジスタのベースに高電気レベルを与えることを含む。
【００１６】
本発明によって提供される、レーザービームの漏れを防止するための光モジュールおよびその制御方法によれば、レーザー制御ユニットが、既存の光モジュールに基づいて配置され、電流制御回路が、第1のトランジスタのベースに接続され、安定した電流を提供するように構成され、レーザーが、第1のトランジスタのエミッタに接続され、レーザー制御ユニットが、第1のトランジスタのベースおよび光ファイバインターフェースに別々に接続され、レーザー制御ユニットが、光ファイバが光ファイバインターフェースに挿入されていることを検出した場合に、レーザーをオンにするための制御を実行し、光ファイバが光ファイバインターフェースに挿入されていないことを検出した場合に、レーザーをオフ状態のままであるように制御する。光ファイバが光ファイバインターフェースに挿入されていないことが検出された場合、レーザーが、オフ状態のままであるように制御され、その結果、光ファイバインターフェースが露出されたときに、レーザービームが、人体の傷害を引き起こすことを効果的に防止される。
【００１７】
本発明の実施形態または従来技術における技術的解決策をより明瞭に説明するために、以下で、実施形態または従来技術を説明するために必要とされる添付の図面を簡潔に説明する。明らかに、以下の説明の添付の図面は、本発明の一部の実施形態を示しており、当業者は、創造的な努力なしにこれらの添付の図面からその他の図面を導き出すことがやはり可能である。
【図面の簡単な説明】
【００１８】
【図１】従来技術において光ファイバ回線内で光ファイバの断線が発生するときのIPAプロセスの概略図である。
【図２】本発明による、レーザービームの漏れを防止するための光モジュールの実施形態1の概略的な原理図である。
【図３】本発明による、レーザービームの漏れを防止するための光モジュールの実施形態2の概略的な原理図である。
【図４】本発明による、レーザービームの漏れを防止するための光モジュールの実施形態3の概略的な原理図である。
【図５ａ】本発明による、レーザービームの漏れを防止するための光モジュールの事例のレーザー出口制御スイッチの概略正面図である。
【図５ｂ】本発明による、レーザービームの漏れを防止するための光モジュールの事例のレーザー出口制御スイッチの概略背面図である。
【図６】本発明による、レーザービームの漏れを防止するための光モジュールの事例の原理図である。
【図７】本発明による、レーザービームの漏れを防止するための光モジュールの制御方法の流れ図である。
【発明を実施するための形態】
【００１９】
本発明の実施形態の目的、技術的解決策、および利点をより明瞭にするために、以下は、本発明の実施形態の技術的解決策を、本発明の実施形態の添付の図面を参照しつつ、明瞭かつ完全に説明する。明らかに、説明される実施形態は、本発明の実施形態の一部であり、すべてではない。創造的な努力なしに本発明の実施形態に基づいて当業者によって得られるすべてのその他の実施形態は、本発明の保護範囲内に収まる。
【００２０】
本発明によって提供される技術的解決策は、従来技術によって解決され得ない、光ファイバインターフェースが露出されたときにレーザービームが人体の傷害を引き起こすという問題を解決するために、様々な通信デバイスの光モジュールを改善するために使用され得る。
【００２１】
図2は、本発明による、レーザービームの漏れを防止するための光モジュールの実施形態1の概略的な原理図である。図2に示されるように、レーザービームの漏れを防止するための光モジュールは、電流制御回路11、第1のトランジスタ13、レーザー14、およびレーザー制御ユニット15を含む。
【００２２】
電流制御回路11は、第1のトランジスタ13のベースに接続され、安定した電流を提供するように構成される。レーザー14は、第1のトランジスタ14のエミッタに接続される。レーザー制御ユニット15は、第1のトランジスタ13のベースおよび光ファイバインターフェースに別々に接続される。
【００２３】
レーザー制御ユニット15は、光ファイバが光ファイバインターフェースに挿入されていることが検出された場合にレーザー14をオンにするための制御を実行し、または光ファイバが光ファイバインターフェースに挿入されていないことが検出された場合にレーザー14をオフ状態のままであるように制御するように構成される。
【００２４】
この実施形態において、電流制御回路11の主な機能は、入力電流を必要とされる値に増幅し、電流を出力することである。レーザー制御ユニット15は、光ファイバインターフェースに接続され、したがって、光ファイバが光ファイバインターフェースに挿入されているかどうかのステータスを直接収集し、それから、レーザー14をオンにするための制御を実行するかまたはレーザー14をオフ状態のままであるように制御する。特に、レーザー制御ユニット15は、光ファイバが光ファイバインターフェースから取り除かれることを検出した場合に、およびレーザー14をオフ状態のままであるように制御する。光ファイバが光ファイバインターフェースに挿入されていないプロセスにおいて、レーザー制御ユニット15は、光ファイバが光ファイバインターフェースに挿入されていることを検出するまでレーザー14をオフ状態のままであるように制御し、つまり、光ファイバインターフェースが露出されないとき、レーザー制御ユニット15は、レーザー14をオンにするための制御を実行する。光ファイバが光ファイバインターフェースから取り除かれるプロセスにおいて、レーザー制御ユニット15は、オン状態のままであるようにレーザー14を制御する可能性がある。
【００２５】
加えて、異なる電圧が、第1のトランジスタ13のコレクタおよび第1のトランジスタ13のベースに与えられる必要がある。異なる電圧の電源が、第1のトランジスタ13のコレクタおよび第1のトランジスタ13のベースにそれぞれ接続するために使用される可能性があり、または同じ電源が、第1のトランジスタ13の動作のための電圧を与えるために、同じ電源が、分圧(voltage division)によって第1のトランジスタ13のコレクタおよびベースに別々に接続するために使用される可能性がある。概して、コレクタによって必要とされる電圧は、わずかに高い。
【００２６】
この実施形態の好ましい解決策において、光モジュールは、ブリーダ回路12をさらに含む。ブリーダ回路12の第1の末端は、電源に接続され、ブリーダ回路12の第2の末端は、第1のトランジスタ13のベースに接続され、ブリーダ回路12の第3の末端は、第1のトランジスタ13のコレクタに接続され、ブリーダ回路12の第3の末端を通じて第1のトランジスタ13のコレクタに電源によって与えられる電圧は、ブリーダ回路12の第2の末端を通じて第1のトランジスタ13のベースに電源によって与えられる電圧よりもわずかに大きい。概して、電圧の差は、0.3V以内である。
【００２７】
ブリーダ回路12は、少なくとも2つの異なる抵抗器を含み、電源電圧は、適切な抵抗器を選択することによって分けられ得る。第2の末端および第3の末端は、ブリーダ回路12の2つの異なる出力であり、ブリーダ回路12の第2の末端および第3の末端は、第1のトランジスタ13のベースおよびコレクタにそれぞれ接続される。第1のトランジスタ13が正常に動作することを可能にするために、ブリーダ回路の第3の末端によって出力される電圧は、第2の末端によって出力される電圧よりもわずかに大きい。
【００２８】
この実施形態によって提供されるレーザービームの漏れを防止するための光モジュールによれば、レーザー制御ユニットは、既存の光モジュールに基づいて配置され、電流制御回路は、第1のトランジスタのベースに接続され、安定した電流を提供するように構成され、レーザーは、第1のトランジスタのエミッタに接続され、レーザー制御ユニットは、第1のトランジスタのベースおよび光ファイバインターフェースに別々に接続され、レーザー制御ユニットは、光ファイバが光ファイバインターフェースに挿入されていることを検出した場合に、レーザーをオンにするための制御を実行し、光ファイバが光ファイバインターフェースに挿入されていないことを検出した場合に、レーザーをオフ状態のままであるように制御する。光ファイバが光ファイバインターフェースに挿入されていないことが検出された場合、レーザーは、オフ状態のままであるように制御され、その結果、光ファイバインターフェースが露出されたときに、レーザービームは、人体の傷害を引き起こすことを効果的に防止される。
【００２９】
図3は、本発明による、レーザービームの漏れを防止するための光モジュールの実施形態2の概略的な原理図である。図2に示されるように、上述の実施形態1に基づいて、レーザー制御ユニット15は、レーザー出口制御スイッチ151、論理動作モジュール152、および第2のトランジスタ153を特に含む。レーザー出口制御スイッチ151は、光ファイバインターフェースに配置され、光ファイバインターフェースに接続され、光ファイバが光ファイバインターフェースに挿入されているかどうかを検出するように構成される。
【００３０】
この実施形態において、レーザー出口制御スイッチ151は、光ファイバインターフェースに直接接続され、光ファイバインターフェースに直接配置される可能性がある。光ファイバの挿入または除去は、レーザー出口制御スイッチ151の閉状態を制御し得る。光ファイバインターフェースは、正方形インターフェース(square interface)または円形インターフェース(circular interface)である可能性がある。これは、限定されない。
【００３１】
特に、論理動作モジュール152の第1の入力ポートは、レーザー出口制御スイッチ151の第1の末端に接続され、論理動作モジュール152の第2の入力ポートは、接地されるかまたは電源に接続され、論理動作モジュール152の出力ポートは、第2のトランジスタ153のベースに接続され、第2のトランジスタ153のコレクタは、第1のトランジスタ13のベースに接続される。
【００３２】
この実施形態において、レーザー出口制御スイッチ151が、光ファイバが光ファイバインターフェースに挿入されていることを検出した場合、レーザー14をオンにするための制御を実行するために、レーザー出口制御スイッチ151の第1の末端は、低電気レベルを出力し、論理動作モジュール152の出力ポートは、低電気レベルを出力する。あるいは、レーザー出口制御スイッチ153が、光ファイバが光ファイバインターフェースに挿入されていないことを検出した場合、レーザー14をオフ状態のままであるように制御するために、レーザー出口制御スイッチ151の第1の末端は、高電気レベルを出力し、論理動作モジュール152の出力ポートは、高電気レベルを出力する。
【００３３】
上述の特徴の特定の実装方法において、レーザー出口制御スイッチ151の第2の末端は、接地され、レーザー出口制御スイッチ151の第3の末端は、電源に接続され、光ファイバが光ファイバインターフェースに挿入されている場合、レーザー出口制御スイッチ151の第1の末端は、レーザー出口制御スイッチ151の第2の末端に接続され、または光ファイバが光ファイバインターフェースに挿入されていない場合、レーザー出口制御スイッチ151の第1の末端は、レーザー出口制御スイッチの第3の末端に接続される。
【００３４】
レーザー14およびレーザー出口制御スイッチ151の接続関係を制御する上述の原理によれば、論理動作モジュール152に関して、少なくとも以下の2つの実装方法が存在する。
【００３５】
第1の実装方法においては、論理動作モジュール152がORゲート回路である場合、ORゲート回路の第1の入力ポートは、レーザー出口制御スイッチ151の第1の末端に接続される。光ファイバが光ファイバインターフェースに挿入された後にORゲート回路の出力ポートが後続の第2のトランジスタ153に低電気レベルを与えることができるように、ORゲート回路の第2の入力ポートは接地される。
【００３６】
特に、光ファイバは、光ファイバインターフェースに挿入される、レーザー出口制御スイッチ151の第1の末端は、レーザー出口制御スイッチ151の第2の末端に接続される。つまり、低電気レベルが、ORゲート回路の第1の入力ポートに入力され、OR動作が、入力された低電気レベルおよび第2の入力ポートの低電気レベルを使用することによって実行され、つまり、第2のトランジスタのベースにおいて低電気レベルが生成される。第2のトランジスタのコレクタの電気レベルが、より高くなるようにトリガされ、それから、第1のトランジスタのコレクタの電気レベルも、より高くなり、その結果、第1のトランジスタのエミッタにおいて電流が生成され、レーザーがオンにされる。光ファイバは、光ファイバインターフェースから取り除かれ、レーザー出口制御スイッチ151の第1の末端は、レーザー出口制御スイッチ151の第3の末端に接続される。つまり、高電気レベルが、ORゲート回路の第1の入力ポートに入力され、OR動作が、入力された高電気レベルおよび第2の入力ポートの低電気レベルを使用することによって実行され、つまり、第2のトランジスタ153のベースにおいて高電気レベルが生成される。第2のトランジスタ153のコレクタの電気レベルが、より低くなるようにトリガされ、それから、第1のトランジスタ13のコレクタの電気レベルも、より低くなり、その結果、第1のトランジスタ13のエミッタにおいて電流が生成されず、レーザー14がオフにされる。
【００３７】
第2の実装方法においては、論理動作モジュール152がANDゲート回路である場合、ANDゲート回路の第1の入力ポートは、レーザー出口制御スイッチ151の第1の末端に接続される。ANDゲート回路の第2の入力ポートは、電源に接続され、したがって、光ファイバが光ファイバインターフェースに挿入されていない場合、ANDゲート回路の出力ポートは、後続の第2のトランジスタ153のベースに高電気レベルを与えることができる。
【００３８】
特に、光ファイバは、光ファイバインターフェースに挿入される、レーザー出口制御スイッチ151の第1の末端は、レーザー出口制御スイッチ151の第2の末端に接続される。つまり、低電気レベルが、ANDゲート回路の第1の入力ポートに入力され、AND動作が、入力された低電気レベルおよび第2の入力ポートの高電気レベルを使用することによって実行され、つまり、第2のトランジスタ153のベースにおいて低電気レベルが生成される。第2のトランジスタ153のコレクタの電気レベルが、より高くなるようにトリガされ、それから、第1のトランジスタ13のコレクタの電気レベルも、より高くなり、その結果、第1のトランジスタ13のエミッタにおいて電流が生成され、レーザーがオンにされる。光ファイバは、光ファイバインターフェースから取り除かれ、レーザー出口制御スイッチ151の第1の末端は、レーザー出口制御スイッチ151の第3の末端に接続される。つまり、高電気レベルが、ANDゲート回路の第1の入力ポートに入力され、AND動作が、入力された高電気レベルおよび第2の入力ポートの高電気レベルを使用することによって実行され、つまり、第2のトランジスタ153のベースにおいて高電気レベルが生成される。第2のトランジスタ153のコレクタの電気レベルが、より低くなるようにトリガされ、それから、第1のトランジスタ13のコレクタの電気レベルも、より低くなり、その結果、第1のトランジスタ13のエミッタにおいて電流が生成されず、レーザーがオフにされる。
【００３９】
この実施形態のORゲート回路またはANDゲート回路に関して、チップモデルは限定されず、OR動作またはAND動作が実装され得る限り、実際の応用およびケーブル布設の要件に応じて選択され得る。
【００４０】
さらに、この応用の論理動作モジュール152によって実装される機能は、光ファイバが光ファイバインターフェースに挿入されている場合にレーザーがオンにされる可能性があり、光ファイバが光ファイバインターフェースから取り除かれる場合にレーザーがオフにされる可能性がある限り、ANDゲートまたはORゲートに限定されない別の既存のハードウェアまたはソフトウェアの方法を使用することによって実装される可能性もある。
【００４１】
この実施形態によって提供されるレーザービームの漏れを防止するための光モジュールによれば、レーザー出口制御スイッチ151、論理動作モジュール152、および第2のトランジスタ153を含むレーザー制御ユニットは、既存の光モジュールに基づいて配置され、電流制御回路は、第1のトランジスタのベースに接続され、安定した電流を提供するように構成され、レーザーは、第1のトランジスタのエミッタに接続され、レーザー出口制御スイッチは、光ファイバの挿入のステータスを収集するために光ファイバインターフェースに配置され、レーザー出口制御スイッチは、論理動作モジュールに接続され、論理動作モジュールの出力は、第2のトランジスタのベースに接続され、第2のトランジスタのコレクタは、第1のトランジスタのベースに接続され、光ファイバが光ファイバインターフェースに挿入されていることを検出した場合、レーザー出口制御スイッチは、レーザーをオンにするための制御を実行するために、論理動作モジュールを使用することによって低電気レベルを後ろ向きに出力し、または光ファイバが光ファイバインターフェースに挿入されていないことを検出した場合、レーザー出口制御スイッチは、レーザーをオフ状態のままであるように制御するために、論理動作モジュールを使用することによって高電気レベルを後ろ向きに出力する。光ファイバが光ファイバインターフェースに挿入されていないことが検出された場合、レーザーは、オフ状態のままであるように制御され、その結果、光ファイバインターフェースが露出されたときに、レーザービームは、人体の傷害を引き起こすことを効果的に防止される。
【００４２】
図4は、本発明による、レーザービームの漏れを防止するための光モジュールの実施形態3の概略的な原理図である。図4に示されるように、上述の2つの実施形態に基づいて、光モジュールは、収集回路16をさらに含む。収集回路16の第1の末端は、第1のトランジスタ13のエミッタに接続され、収集回路16の第2の末端は、レーザー14に接続され、収集回路は、レーザーの電流を収集するように構成される。
【００４３】
この実施形態において、収集回路は、概して、1つまたは複数の抵抗器からなり、収集回路において、複数の抵抗器は、直列に、または並列に、または直列と並列との両方で接続される可能性があり、その収集回路を、抵抗器の電圧を測定することによって計算を通じてレーザーの電流を直接得るのに都合がよいようにする。さらに、レーザー14に印可される電圧が、レーザーを守るために分けられ得る。
【００４４】
この実施形態によって提供されるレーザービームの漏れを防止するための光モジュールによれば、レーザー出口制御スイッチは、光ファイバインターフェースに配置され、既存の回路に基づいて、光ファイバが挿入されているかどうかに応じて、制御が、レーザーをオンにするために直接実行されるか、またはレーザーが、オフ状態のままであるように直接制御される。光ファイバが挿入されていない場合、レーザーは、オンにされず、その結果、レーザービームは、光ファイバを取り替えるプロセス中に人体の傷害を引き起こすことを効果的に防止される。
【００４５】
図5aは、本発明による、レーザービームの漏れを防止するための光モジュールの事例のレーザー出口制御スイッチの概略正面図である。図5bは、本発明による、レーザービームの漏れを防止するための光モジュールの事例のレーザー出口制御スイッチの概略背面図である。図5aおよび図5bに示されるように、上述の実施形態に基づいて、レーザー出口制御スイッチは弾性シートスイッチ(elastic sheet switch)であることが仮定される。弾性のあるシートスイッチは、光ファイバインターフェースの前面から突き出す弾性シートおよび金属シートを含む。光ファイバが挿入されている場合、弾性シートスイッチが、光ファイバの圧力の下で閉じられ、レーザー出口制御スイッチの第1の末端が、レーザー出口制御スイッチの第2の末端に接続される。光ファイバが光ファイバインターフェースから取り除かれるとき、弾性シートスイッチが開き、レーザー出口制御スイッチの第1の末端がレーザー出口制御スイッチの第3の末端に接続される。
【００４６】
この実施形態においては、図5aおよび図5bに示されるように、弾性シートスイッチが、光ファイバインターフェースに直接配置される。光ファイバが挿入されている場合、弾性シートスイッチの弾性シートが、圧力の下で閉じられ、ORゲート回路を使用することによって第2のトランジスタのベースに低電気レベルを与えるために、レーザー出口制御スイッチの第1の末端が、レーザー出口制御スイッチの第2の末端に接続される(つまり、図5aの弾性シートスイッチの上部の弾性シートおよび図5bの弾性シートスイッチの裏側の金属が、それぞれ、第1の末端および第2の末端である)。同様に、光ファイバが光ファイバインターフェースから取り除かれた後、弾性シートスイッチは、跳ね上がって開き、ORゲート回路を使用することによって第2のトランジスタのベースに高電気レベルを与えるために、レーザー出口制御スイッチの第1の末端が、レーザー出口制御スイッチの第3の末端に接続される。
【００４７】
任意で、本発明のレーザー出口制御スイッチに関して、上述の機能は、光抵抗器(optical resistor)またはセンサーなどの別の制御スイッチを選択することによって実装される可能性がある。たとえば、
レーザー出口制御スイッチがセンサーを含む場合、光ファイバが光ファイバインターフェースに挿入されている場合、センサーが、レーザー出口制御スイッチの第1の末端をレーザー出口制御スイッチの第2の末端に接続するように制御を実行するか、もしくは光ファイバが光ファイバインターフェースから取り除かれるとき、センサーが、レーザー出口制御スイッチの第1の末端をレーザー出口制御スイッチの第3の末端に接続するように制御を実行するか、または
レーザー出口制御スイッチが光抵抗器を含む場合、光ファイバが光ファイバインターフェースに挿入されている場合、光抵抗器上の光がより弱くなり、光抵抗器の抵抗値が小さくなり、レーザー出口制御スイッチの第1の末端がレーザー出口制御スイッチの第2の末端に接続されるか、もしくは光ファイバが光ファイバインターフェースから取り除かれるとき、光抵抗器上の光がより強くなり、光抵抗器の抵抗値が大きくなり、レーザー出口制御スイッチの第1の末端がレーザー出口制御スイッチの第3の末端に接続される。
【００４８】
次の条件、つまり、光が暗いときに光抵抗器の抵抗値が大きくなるという条件を満たす光抵抗器が選択され得る。つまり、光ファイバが挿入されている場合、光抵抗器の抵抗値が大きくなり、これは、第1の末端が第2の末端に接続されることと等価であり、光ファイバが取り除かれるとき、光抵抗器の抵抗値が小さくなり、これは、第1の末端が第3の末端に接続されることと等価である。
【００４９】
加えて、光抵抗器は、実際の状況に応じて選択される可能性があり、この応用は、単に上述の状況に限定されない。
【００５０】
この実施形態によって提供されるレーザービームの漏れを防止するための光モジュールによれば、レーザー出口制御スイッチは、光ファイバインターフェースに配置され、制御スイッチは、弾性シートスイッチ、光抵抗器、またはセンサーなどの種類のスイッチを含む可能性があり、レーザー出口制御スイッチの第1の末端は、論理動作モジュールに接続され、その他の2つの末端は、電源および接地にそれぞれ接続され、論理動作モジュールの出力ポートは、レーザーをオンにするための制御を実行するかまたはレーザーをオフ状態のままであるように制御するために、論理動作モジュールの出力ポートに接続される、第2のトランジスタのベースに高/低電気レベルを与える。つまり、既存の回路に基づいて、光ファイバが挿入されているかどうかに応じて直接、光ファイバが挿入されていない場合にレーザーをオンにしないように制御が実行され、その結果、レーザービームは、光ファイバを取り替えるプロセス中に人体の傷害を引き起こすことを効果的に防止される。
【００５１】
図6は、本発明による、レーザービームの漏れを防止するための光モジュールの実装の原理図である。図4に示されるように、上述の実施形態1および実施形態2に基づいて、この実施形態は、レーザービームの漏れを防止するための光モジュールの特定の実装方法を提供する。特に、
電流制御回路は、出力増幅回路を含み、第1のトランジスタのベースに安定した電流を提供するように構成される。応用プロセスにおいて、出力増幅回路によって出力される電圧は、第1のトランジスタのベースの電圧を制御するために、第2のトランジスタのコレクタの電圧を変えることによって調整される。この実施形態において、選択された増幅器のモデルは、AD8301BRであり、レーザー制御ユニットの論理動作モジュールは、ORゲート回路U2を使用することによって実装される。ORゲート回路は、レーザーをオンにするための制御を実行するか、またはレーザーをオフ状態のままであるように制御するために、レーザー出口制御スイッチのステータスに応じて第2のトランジスタQ2のベースの電気レベルを制御するために使用される。この実施形態において使用されるORゲート回路のモデルは、74LS32Dである。
【００５２】
この実施形態の回路の原理図6のその他の構成要素の接続に関しては図6を参照されたい。上述の回路においては、光ファイバが光ファイバインターフェースに挿入されている場合に、J1が、P1に接続され、OR動作が、入力された電気レベルおよび低電気レベルを使用することによって実行され、動作の結果が、出力され、U2が、第2のトランジスタQ2のベースP6において低電気レベルを生成し、第2のトランジスタQ2のコレクタP3の電気レベルが、より高くなるようにトリガされ、それから、第1のトランジスタQ1のコレクタP4の電気レベルも、より高くなり、その結果、第1のトランジスタQ1のエミッタP5が、電流を生成し、レーザーが、オンにされる。
【００５３】
光ファイバが光ファイバインターフェースから取り除かれるとき、J1が、P2に接続され、OR動作が、入力された電気レベルおよび低電気レベルを使用することによって実行され、動作の結果が、出力され、U2が、第2のトランジスタQ2のベースP6において高電気レベルを生成し、第2のトランジスタQ2のコレクタP3の電気レベルが、より低くなるようにトリガされ、それから、第1のトランジスタQ1のコレクタP4の電気レベルが、やはりより高くなり、その結果、第1のトランジスタQ1のエミッタP5の電流が消え、レーザーがオフにされる。
【００５４】
任意で、第2のトランジスタQ2が、主として、レベル変換のために使用され、したがって、MOSトランジスタによって置き換えられ得る。第2のトランジスタQ2がMOSトランジスタによって置き換えられるとき、MOSトランジスタの1つの末端が、論理動作モジュールの出力に直接接続され、MOSトランジスタの別の末端が、第1のトランジスタのベースに接続される。
【００５５】
この実施形態によって提供されるレーザービームの漏れを防止するための光モジュールによれば、レーザー出口制御スイッチが、光ファイバインターフェースに配置され、光ファイバが挿入されているかどうかのステータスが、レーザー出口制御スイッチを使用することによって収集され、高電気レベルまたは低電気レベルが、光ファイバが挿入されているかどうかに応じて第1のトランジスタのベースに与えられる。光ファイバが挿入されていない場合、制御が、レーザーをオンにしないように実行され、その結果、レーザービームは、光ファイバインターフェースが露出されたとき、たとえば、光ファイバを取り替えるプロセス中に人体の傷害を引き起こすことを効果的に防止される。
【００５６】
図7は、本発明による、レーザービームの漏れを防止するための光モジュールの制御方法の流れ図である。図7に示されるように、レーザービームの漏れを防止するための光モジュールの制御方法は、本発明の図1から図6の光モジュールを制御するために使用される。光モジュールは、電流制御回路、第1のトランジスタ、レーザー、およびレーザー制御ユニットを含む。電流制御回路は、第1のトランジスタのベースに接続される。レーザーは、第1のトランジスタのエミッタに接続される。レーザー制御ユニットは、第1のトランジスタのベースおよび光ファイバインターフェースに別々に接続される。方法の特定のステップは、以下を含む。
【００５７】
S101:レーザーコントローラ制御ユニットが、光ファイバが光ファイバインターフェースに挿入されているかどうかを検出する。
【００５８】
この実施形態においては、レーザー出口制御スイッチのステータスが、たとえば、光ファイバインターフェースに接続されたレーザーコントローラ制御ユニットを使用するハードウェアの方法で検出される。レーザーコントローラ制御ユニットが、2つの特定の末端が接続されていることを検出した場合、それは、光ファイバが光ファイバインターフェースに挿入されていることを示し、レーザーコントローラ制御ユニットが、2つの特定の末端が接続されていることを検出した場合、それは、光ファイバが光ファイバインターフェースに挿入されていないことを示す。
【００５９】
S102:レーザーコントローラ制御ユニットは、光ファイバが光ファイバインターフェースに挿入されていることを検出した場合、光モジュールのレーザーをオンにするための制御を実行し、またはレーザーコントローラ制御ユニットは、光ファイバが光ファイバインターフェースに挿入されていないことを検出した場合、光モジュールのレーザーをオフ状態のままであるように制御する。
【００６０】
この実施形態においては、光ファイバが光ファイバインターフェースに挿入されていることが検出された場合、ソフトウェアまたはハードウェアを使用することによってレーザーをオンにするための制御が実行される。光ファイバが光ファイバインターフェースから取り除かれていることが検出された、つまり、光ファイバが挿入されていないステータスが検出された場合、レーザーは、オフ状態のままであるように、ソフトウェアまたはハードウェアを使用することによって制御され、その結果、光ファイバが挿入されていない場合に、レーザービームは生成されない。
【００６１】
特に、この実施形態のレーザー制御ユニットは、レーザー出口制御スイッチ、論理動作モジュール、および第2のトランジスタを含み、レーザー出口制御スイッチは、光ファイバインターフェースに配置され、論理動作モジュールの第1の入力ポートは、レーザー出口制御スイッチの第1の末端に接続され、論理動作モジュールの第2の入力ポートは、接地されるかまたは電源に接続され、論理動作モジュールの出力ポートは、第2のトランジスタのベースに接続され、第2のトランジスタのコレクタは、第1のトランジスタのベースに収集される。ステップS102は、特に、
レーザー出口制御スイッチが、光ファイバが光ファイバインターフェースに挿入されていることを検出した場合、レーザーをオンにするために、第1の入力ポートに入力された電気レベルに応じて論理動作モジュールによって、計算の後に出力ポートを使用することによって第2のトランジスタのベースに低電気レベルを与えること、または
レーザー出口制御スイッチが、光ファイバが光ファイバインターフェースに挿入されていないことを検出した場合、レーザーをオフ状態のままにするために、第1の入力ポートに入力された電気レベルに応じて論理動作モジュールによって、計算の後に出力ポートを使用することによって第2のトランジスタのベースに高電気レベルを与えることを含む。
【００６２】
この実施形態によって提供されるレーザービームの漏れを防止するための光モジュールの制御方法によれば、レーザー制御ユニットが、既存の光モジュールに基づいて配置され、レーザー制御ユニットが、光ファイバが光ファイバインターフェースに挿入されているかどうかを直接検出し、光ファイバが光ファイバインターフェースに挿入されていることが検出された場合にレーザーをオンにするための制御を実行し、または光ファイバが光ファイバインターフェースに挿入されていないことが検出された場合にレーザーをオフ状態のままであるように制御する。つまり、光ファイバが挿入されていない場合、レーザーは、オンにされず、その結果、レーザービームは、光ファイバを取り替えるプロセス中に人体の傷害を引き起こすことを効果的に防止される。
【００６３】
最後に、上述の実施形態は、本発明の技術的解決策を説明するように意図されているに過ぎず、本発明を限定するように意図されていないことに留意されたい。本発明が上述の実施形態に関連して詳細に説明されているが、当業者は、当業者が、本発明の実施形態の技術的解決策の範囲を逸脱することなく、上述の実施形態で説明された技術的解決策に対する修正をやはり行う可能性があり、またはそれらの技術的解決策の一部もしくはすべての技術的な特徴に対して均等な置き換えを行う可能性があることを理解するに違いない。
【符号の説明】
【００６４】
11  電流制御回路
12  ブリーダ回路
13  第1のトランジスタ
14  レーザー
15  レーザー制御ユニット
16  収集回路
151  レーザー出口制御スイッチ
152  論理動作モジュール
153  第2のトランジスタ
P3  コレクタ
P4  コレクタ
P5  エミッタ
P6  ベース
Q1  第1のトランジスタ
Q2  第2のトランジスタ
【図１】
2018500769.tif 000003
【図２】
2018500769.tif 000004
【図３】
2018500769.tif 000005
【図４】
2018500769.tif 000006
【図５ａ】
2018500769.tif 000007
【図５ｂ】
2018500769.tif 000008
【図６】
2018500769.tif 000009
【図７】
2018500769.tif 000010
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
レーザービームの漏れを防止するための光モジュールであって、電流制御回路と、第1のトランジスタと、レーザーと、レーザー制御ユニットとを備え、
前記電流制御回路が、前記第1のトランジスタのベースに接続され、安定した電流を提供するように構成され、前記レーザーが、前記第1のトランジスタのエミッタに接続され、前記レーザー制御ユニットが、前記第1のトランジスタの前記ベースおよび光ファイバインターフェースに別々に接続され、
前記レーザー制御ユニットが、光ファイバが前記光ファイバインターフェースに挿入されていることが検出された場合に前記レーザーをオンにするための制御を実行し、または光ファイバが前記光ファイバインターフェースに挿入されていないことが検出された場合に前記レーザーをオフ状態のままであるように制御するように構成される、光モジュール。
【請求項２】
ブリーダ回路をさらに備え、前記ブリーダ回路の第1の末端が、電源に接続され、前記ブリーダ回路の第2の末端が、前記第1のトランジスタの前記ベースに接続され、前記ブリーダ回路の第3の末端が、前記第1のトランジスタのコレクタに接続される、請求項1に記載の光モジュール。
【請求項３】
前記レーザー制御ユニットが、レーザー出口制御スイッチと、論理動作モジュールと、第2のトランジスタとを備え、前記レーザー出口制御スイッチが、前記光ファイバインターフェースに配置され、光ファイバが前記光ファイバインターフェースに挿入されているかどうかを検出するように構成され、
前記論理動作モジュールの第1の入力ポートが、前記レーザー出口制御スイッチの第1の末端に接続され、前記論理動作モジュールの第2の入力ポートが、接地され、または電源に接続され、前記論理動作モジュールの出力ポートが、前記第2のトランジスタのベースに接続され、前記第2のトランジスタのコレクタが、前記第1のトランジスタの前記ベースに接続され、
前記レーザー出口制御スイッチが、光ファイバが前記光ファイバインターフェースに挿入されていることを検出した場合に、前記レーザーをオンにするための制御を実行するために、前記レーザー出口制御スイッチの前記第1の末端が、低電気レベルを出力し、前記論理動作モジュールの前記出力ポートが、低電気レベルを出力し、または前記レーザー出口制御スイッチが、光ファイバが前記光ファイバインターフェースに挿入されていないことを検出した場合に、前記レーザーをオフ状態のままであるように制御するために、前記レーザー出口制御スイッチの前記第1の末端が、高電気レベルを出力し、前記論理動作モジュールの前記出力ポートが、高電気レベルを出力する、請求項1または2に記載の光モジュール。
【請求項４】
前記レーザー出口制御スイッチの第2の末端が、接地され、前記レーザー出口制御スイッチの第3の末端が、電源に接続され、光ファイバが前記光ファイバインターフェースに挿入されている場合に、前記レーザー出口制御スイッチの前記第1の末端が、前記レーザー出口制御スイッチの前記第2の末端に接続され、または光ファイバが前記光ファイバインターフェースに挿入されていない場合に、前記レーザー出口制御スイッチの前記第1の末端が、前記レーザー出口制御スイッチの前記第3の末端に接続される、請求項3に記載の光モジュール。
【請求項５】
前記論理動作モジュールが、ORゲート回路であり、前記ORゲート回路の第1の入力ポートが、前記レーザー出口制御スイッチの前記第1の末端に接続され、前記ORゲート回路の第2の入力ポートが、接地される、請求項3または4に記載の光モジュール。
【請求項６】
前記論理動作モジュールが、ANDゲート回路であり、前記ANDゲート回路の第1の入力ポートが、前記レーザー出口制御スイッチの前記第1の末端に接続され、前記ANDゲート回路の第2の入力ポートが、電源に接続される、請求項3または4に記載の光モジュール。
【請求項７】
収集回路をさらに備え、前記収集回路の第1の末端が、前記第1のトランジスタの前記エミッタに接続され、前記収集回路の第2の末端が、前記レーザーに接続され、前記収集回路が、前記レーザーの電流を収集するように構成される、請求項1から6のいずれか一項に記載の光モジュール。
【請求項８】
レーザービームの漏れを防止するための光モジュールの制御方法であって、前記光モジュールが、電流制御回路と、第1のトランジスタと、レーザーと、レーザー制御ユニットとを備え、前記電流制御回路が、前記第1のトランジスタのベースに接続され、前記レーザーが、前記第1のトランジスタのエミッタに接続され、前記レーザー制御ユニットが、前記第1のトランジスタの前記ベースおよび光ファイバインターフェースに別々に接続され、前記方法が、
光ファイバが前記光ファイバインターフェースに挿入されているかどうかを前記レーザー制御ユニットによって検出するステップと、
前記レーザー制御ユニットが、光ファイバが前記光ファイバインターフェースに挿入されていることを検出した場合に、前記光モジュールの前記レーザーをオンにするための制御を前記レーザー制御ユニットによって実行し、または前記レーザー制御ユニットが、光ファイバが前記光ファイバインターフェースに挿入されていないことを検出した場合に、前記光モジュールの前記レーザーをオフ状態のままであるように前記レーザー制御ユニットによって制御するステップと
を含む、方法。
【請求項９】
前記レーザー制御ユニットが、レーザー出口制御スイッチと、論理動作モジュールと、第2のトランジスタとを備え、前記レーザー出口制御スイッチが、前記光ファイバインターフェースに配置され、前記論理動作モジュールの第1の入力ポートが、前記レーザー出口制御スイッチの第1の末端に接続され、前記論理動作モジュールの第2の入力ポートが、接地され、または電源に接続され、前記論理動作モジュールの出力ポートが、前記第2のトランジスタのベースに接続され、前記第2のトランジスタのコレクタが、前記第1のトランジスタの前記ベースに接続され、前記レーザー制御ユニットが、光ファイバが前記光ファイバインターフェースに挿入されていることを検出した場合に、前記光モジュールの前記レーザーをオンにするための制御を実行するステップが、前記レーザー出口制御スイッチが光ファイバが前記光ファイバインターフェースに挿入されていることを検出した場合に、前記レーザーをオンにするために、前記第1の入力ポートに入力された電気レベルに応じて前記論理動作モジュールによって、計算の後に前記出力ポートを使用することによって前記第2のトランジスタの前記ベースに低電気レベルを与えることを含み、
前記レーザー制御ユニットが、光ファイバが前記光ファイバインターフェースに挿入されていないことを検出した場合に、前記光モジュールの前記レーザーをオフ状態のままであるように前記レーザー制御ユニットによって制御するステップが、前記レーザー出口制御スイッチが光ファイバが前記光ファイバインターフェースに挿入されていないことを検出した場合に、前記レーザーをオフ状態のままにするために、前記第1の入力ポートに入力された電気レベルに応じて前記論理動作モジュールによって、計算の後に前記出力ポートを使用することによって前記第2のトランジスタの前記ベースに高電気レベルを与えることを含む、請求項8に記載の方法。
【手続補正２】
【補正対象書類名】明細書
【補正対象項目名】００１４
【補正方法】変更
【補正の内容】
【００１４】
本発明の第2の態様は、光モジュールが、電流制御回路と、第1のトランジスタと、レーザーと、レーザー制御ユニットとを備え、電流制御回路が、第1のトランジスタのベースに接続され、レーザーが、第1のトランジスタのエミッタに接続され、レーザー制御ユニットが、第1のトランジスタのベースおよび光ファイバインターフェースに別々に接続される、レーザービームの漏れを防止するための光モジュールの制御方法を提供し、本方法は、
光ファイバが光ファイバインターフェースに挿入されているかどうかをレーザー制御ユニットによって検出するステップと、
レーザー制御ユニットが、光ファイバが光ファイバインターフェースに挿入されていることを検出した場合、光モジュールのレーザーをオンにするための制御をレーザー制御ユニットによって実行し、またはレーザー制御ユニットが、光ファイバが光ファイバインターフェースに挿入されていないことを検出した場合、光モジュールのレーザーをオフ状態のままであるようにレーザー制御ユニットによって制御するステップとを含む。
【手続補正３】
【補正対象書類名】明細書
【補正対象項目名】００１５
【補正方法】変更
【補正の内容】
【００１５】
第2の態様に関連して、第2の態様の第1の取り得る実装方法においては、レーザー制御ユニットが、レーザー出口制御スイッチと、論理動作モジュールと、第2のトランジスタとを備え、レーザー出口制御スイッチが、光ファイバインターフェースに配置され、論理動作モジュールの第1の入力ポートが、レーザー出口制御スイッチの第1の末端に接続され、論理動作モジュールの第2の入力ポートが、接地される、または電源に接続され、論理動作モジュールの出力ポートが、第2のトランジスタのベースに接続され、第2のトランジスタのコレクタが、第1のトランジスタのベースに接続され、レーザー制御ユニットが、光ファイバが光ファイバインターフェースに挿入されていることを検出した場合、光モジュールのレーザーをオンにするための制御を実行するステップが、レーザー出口制御スイッチが光ファイバが光ファイバインターフェースに挿入されていることを検出した場合、レーザーをオンにするために、第1の入力ポートに入力された電気レベルに応じて論理動作モジュールによって、計算の後に出力ポートを使用することによって第2のトランジスタのベースに低電気レベルを与えることを含み、
レーザー制御ユニットが、光ファイバが光ファイバインターフェースに挿入されていないことを検出した場合、光モジュールのレーザーをオフ状態のままであるようにレーザー制御ユニットによって制御するステップが、レーザー出口制御スイッチが光ファイバが光ファイバインターフェースに挿入されていないことを検出する場合、レーザーをオフ状態のままにするために、第1の入力ポートに入力された電気レベルに応じて論理動作モジュールによって、計算の後に出力ポートを使用することによって第2のトランジスタのベースに高電気レベルを与えることを含む。
【手続補正４】
【補正対象書類名】明細書
【補正対象項目名】００２６
【補正方法】変更
【補正の内容】
【００２６】
この実施形態の解決策において、光モジュールは、ブリーダ回路12をさらに含む。ブリーダ回路12の第1の末端は、電源に接続され、ブリーダ回路12の第2の末端は、第1のトランジスタ13のベースに接続され、ブリーダ回路12の第3の末端は、第1のトランジスタ13のコレクタに接続され、ブリーダ回路12の第3の末端を通じて第1のトランジスタ13のコレクタに電源によって与えられる電圧は、ブリーダ回路12の第2の末端を通じて第1のトランジスタ13のベースに電源によって与えられる電圧よりもわずかに大きい。概して、電圧の差は、0.3V以内である。
【手続補正５】
【補正対象書類名】明細書
【補正対象項目名】００５７
【補正方法】変更
【補正の内容】
【００５７】
S101:レーザー制御ユニットが、光ファイバが光ファイバインターフェースに挿入されているかどうかを検出する。
【手続補正６】
【補正対象書類名】明細書
【補正対象項目名】００５８
【補正方法】変更
【補正の内容】
【００５８】
この実施形態においては、レーザー出口制御スイッチのステータスが、たとえば、光ファイバインターフェースに接続されたレーザー制御ユニットを使用するハードウェアの方法で検出される。レーザー制御ユニットが、2つの特定の末端が接続されていることを検出した場合、それは、光ファイバが光ファイバインターフェースに挿入されていることを示し、レーザー制御ユニットが、2つの特定の末端が接続されていることを検出した場合、それは、光ファイバが光ファイバインターフェースに挿入されていないことを示す。
【手続補正７】
【補正対象書類名】明細書
【補正対象項目名】００５９
【補正方法】変更
【補正の内容】
【００５９】
S102:レーザー制御ユニットは、光ファイバが光ファイバインターフェースに挿入されていることを検出した場合、光モジュールのレーザーをオンにするための制御を実行し、またはレーザー制御ユニットは、光ファイバが光ファイバインターフェースに挿入されていないことを検出した場合、光モジュールのレーザーをオフ状態のままであるように制御する。
【国際調査報告】
2018500769.tif 000011
2018500769.tif 000012
2018500769.tif 000013
2018500769.tif 000014
2018500769.tif 000015